(57)【要約】【課題】カラオケ装置に対する操作をユーザ携帯端末で行うためのログイン手続きを簡単にする。【解決手段】ユーザ携帯端末は、管理サーバとの間でユーザ識別情報（ユーザＩＤ及びパスワード）に基づく事前認証（Ｓ１０〜Ｓ１８）を行う。その後、リモコン端末においてログイン申請を受付けると（Ｓ２０）、カラオケ装置が作成（Ｓ２４）した操作認証ＩＤとカラオケ装置の識別情報とを含む操作対象情報が表示される（Ｓ２８）。ユーザ携帯端末は、操作対象情報を読取り（Ｓ３０）、それに基づいてリモートログインを管理サーバに要求する（Ｓ３２）。管理サーバは、ユーザ携帯端末から通知されたユーザ識別情報、操作認証ＩＤをカラオケ装置に通知する（Ｓ３６〜Ｓ４０）。カラオケ装置２は、通知された操作認証ＩＤに基づいて認証を行う（Ｓ４２）。認証が成立した場合、ユーザＩＤと操作認証ＩＤとを紐付けしＳ５２）て、リモートログインを確立する。【選択図】図２
2015135415.tif 000002
【特許請求の範囲】
【請求項１】
カラオケ装置と、前記カラオケ装置及びユーザ携帯端末と通信を行う管理サーバとを備えるカラオケシステムであって、
前記管理サーバは、第１ログイン認証手段と、第２ログイン通知手段と、第２ログイン確立手段とを備え、
前記カラオケ装置は、受付手段と、作成手段と、操作対象通知手段と、第２ログイン認証手段とを備え、
前記ユーザ携帯端末は、第１ログイン要求手段と、記憶手段と、読取手段と、第２ログイン要求手段と、第２ログイン手段とを備え、
前記ユーザ携帯端末における前記第１ログイン要求手段は、入力されたユーザ識別情報に基づき、そのユーザ識別情報を伴う第１ログイン要求を前記管理サーバに送信し、送信した前記第１ログイン要求に対する認証成立結果を前記管理サーバから受信することで、その認証成立結果に係るユーザ識別情報を前記記憶手段に保存し、保存した前記ユーザ識別情報に基づく第１ログインを確立し、
前記管理サーバにおいて、前記ユーザ携帯端末から前記ユーザ識別情報を伴う第１ログイン要求を受信した場合、前記第１ログイン認証手段は、受信した前記ユーザ識別情報に対する認証を行い、その認証が成立した場合の認証成立結果を要求元の前記ユーザ携帯端末に送信して、受信した前記ユーザ識別情報に基づく第１ログインを確立し、
前記カラオケ装置における前記受付手段は、前記カラオケ装置に対する操作の入力を前記ユーザ携帯端末で行うための第２ログインを確立するための申請を受付け、
前記カラオケ装置において、前記受付手段によって前記第２ログインを確立するための申請を受付けた場合、前記作成手段は、前記第２ログインの認証に用いる固有の操作認証情報を作成し、
前記カラオケ装置における操作対象通知手段は、前記作成手段によって作成された操作認証情報と、自カラオケ装置を識別するカラオケ装置識別情報とを含む操作対象情報を、所定の情報提示手段に提示させ、
前記ユーザ携帯端末における前記読取手段は、前記情報提示手段に提示された操作対象情報を読取り、
前記ユーザ携帯端末における前記第２ログイン要求手段は、前記読取手段により読取られた操作対象情報に含まれる操作認証情報及びカラオケ装置識別情報と、前記記憶手段に記憶されているユーザ識別情報とを伴う第２ログイン要求を前記管理サーバに送信し、
前記管理サーバにおいて、前記ユーザ携帯端末から前記操作認証情報と前記カラオケ装置識別情報と前記ユーザ識別情報とを伴う第２ログイン要求を受信した場合、前記第２ログイン通知手段は、前記カラオケ装置識別情報に基づいて操作対象のカラオケ装置を特定し、その操作対象のカラオケ装置に対して、前記操作認証情報と前記ユーザ識別情報とを伴う第２ログイン通知を送信し、
前記カラオケ装置において、前記管理サーバから前記操作認証情報と前記ユーザ識別情報とを伴う第２ログイン通知を受信した場合、前記第２ログイン認証手段は、前記作成手段によって作成された操作認証情報と、受信した前記第２ログイン通知に含まれる操作認証情報とが一致することを条件に、前記操作認証情報と前記ユーザ識別情報とを対応付けて保存し、第２ログインの認証が成立した旨の第２ログイン結果を前記管理サーバに送信して、保存した前記操作認証情報と前記ユーザ識別情報とに基づく前記第２ログインを確立し、
前記管理サーバにおいて、前記カラオケ装置から前記第２ログイン結果を受信した場合、前記第２ログイン確立手段は、前記第２ログイン要求の送信元であるユーザ携帯端末にその第２ログイン結果を送信して、前記第２ログインを確立し、
前記ユーザ携帯端末において、前記管理サーバから第２ログイン結果を受信した場合、前記第２ログイン手段は、前記記憶手段に記憶されているユーザ識別情報と、前記読取手段により読取られた操作対象情報とに基づく前記第２ログインを確立すること、
を特徴とするカラオケシステム。
【請求項２】
請求項１に記載のカラオケシステムにおいて、
前記カラオケ装置における第２ログイン認証手段は、前記作成手段によって作成された操作認証情報と、前記管理サーバから受信した前記第２ログイン通知に含まれる操作認証情報とが一致する場合、さらに、受信した前記第２ログイン通知に含まれるユーザ識別情報を伴うユーザ認証要求を前記管理サーバに送信し、送信した前記ユーザ認証要求に対する認証成立結果を前記管理サーバから受信したことを条件に、前記操作認証情報と前記ユーザ識別情報とを対応付けて保存し、第２ログインの認証が成立した旨の第２ログイン結果を前記管理サーバに送信して、保存した前記操作認証情報と前記ユーザ識別情報とに基づく前記第２ログインを確立し、
前記管理サーバは、前記カラオケ装置から受信した前記ユーザ認証要求における前記ユーザ識別情報に対する認証を行い、その認証が成立した場合の認証成立結果を要求元の前記カラオケ装置に送信するユーザ認証手段を備えること、
を特徴とするカラオケシステム。
【請求項３】
カラオケ装置と、前記カラオケ装置及びユーザ携帯端末と通信を行う管理サーバとを備えるカラオケシステムにおけるログイン方法であって、
前記ユーザ携帯端末が、入力されたユーザ識別情報に基づき、そのユーザ識別情報を伴う第１ログイン要求を前記管理サーバに送信し、送信した前記第１ログイン要求に対する認証成立結果を前記管理サーバから受信することで、その認証成立結果に係るユーザ識別情報を記憶手段に保存し、保存した前記ユーザ識別情報に基づく第１ログインを確立する手順と、
前記管理サーバが、前記ユーザ携帯端末から前記ユーザ識別情報を伴う第１ログイン要求を受信した場合、受信した前記ユーザ識別情報に対する認証を行い、その認証が成立した場合の認証成立結果を要求元の前記ユーザ携帯端末に送信して、受信した前記ユーザ識別情報に基づく第１ログインを確立する手順と、
前記カラオケ装置が、前記カラオケ装置に対する操作の入力を前記ユーザ携帯端末で行うための第２ログインを確立するための申請を受付ける手順と、
前記カラオケ装置が、前記第２ログインを確立するための申請を受付けた場合、前記第２ログインの認証に用いる固有の操作認証情報を作成する手順と、
前記カラオケ装置が、前記作成された操作認証情報と、自カラオケ装置を識別するカラオケ装置識別情報とを含む操作対象情報を、所定の情報提示手段に提示させる手順と、
前記ユーザ携帯端末が、前記情報提示手段に提示された操作対象情報を読取る手順と、
前記ユーザ携帯端末が、読取った前記操作対象情報に含まれる操作認証情報及びカラオケ装置識別情報と、前記記憶手段に記憶されているユーザ識別情報とを伴う第２ログイン要求を前記管理サーバに送信する手順と、
前記管理サーバが、前記ユーザ携帯端末から前記操作認証情報と前記カラオケ装置識別情報と前記ユーザ識別情報とを伴う第２ログイン要求を受信した場合、前記カラオケ装置識別情報に基づいて操作対象のカラオケ装置を特定し、その操作対象のカラオケ装置に対して、前記操作認証情報と前記ユーザ識別情報とを伴う第２ログイン通知を送信する手順と、
前記カラオケ装置が、前記管理サーバから前記操作認証情報と前記ユーザ識別情報とを伴う第２ログイン通知を受信した場合、作成した前記操作認証情報と、受信した前記第２ログイン通知に含まれる操作認証情報とが一致することを条件に、前記操作認証情報と前記ユーザ識別情報とを対応付けて保存し、第２ログインの認証が成立した旨の第２ログイン結果を前記管理サーバに送信して、保存した前記操作認証情報と前記ユーザ識別情報とに基づく前記第２ログインを確立する手順と、
前記管理サーバが、前記カラオケ装置から前記第２ログイン結果を受信した場合、前記第２ログイン要求の送信元であるユーザ携帯端末にその第２ログイン結果を送信して、前記第２ログインを確立する手順と、
前記ユーザ携帯端末が、前記管理サーバから第２ログイン結果を受信した場合、前記記憶手段に記憶されているユーザ識別情報と、前記情報提示手段から読取った操作対象情報とに基づく前記第２ログインを確立する手順と、
を有することを特徴とするカラオケシステムにおけるログイン方法。
【発明の詳細な説明】
【技術分野】
【０００１】
本発明は、ユーザが所有する携帯端末からログイン手続きを行うことができるカラオケシステムに関する。
【背景技術】
【０００２】
近年、カラオケシステムにおいて、カラオケ装置に対する選曲等の操作を、ユーザが所有するスマートフォンやタブレットコンピュータといった携帯端末（以下、ユーザ携帯端末と称する）を用いて行えるようにする技術が提案されている（例えば、特許文献１参照）。
【０００３】
特許文献１に記載のカラオケシステムでは、ユーザがカラオケ装置に付属のリモコンを操作して入力したユーザ識別情報に対するログイン認証と、ユーザ携帯端末を操作して入力したユーザ識別情報によるログイン認証との両方が成立することで、ユーザ携帯端末と操作対象のカラオケ装置とが対応付けられる。こうすることで、ユーザ携帯端末からカラオケ装置に対してカラオケ曲の予約等の操作を行うことができるようになっている。
【先行技術文献】
【特許文献】
【０００４】
【特許文献１】特開２０１３−３７１４６号公報
【発明の概要】
【発明が解決しようとする課題】
【０００５】
しかしながら、特許文献１に記載のカラオケシステムでは、ユーザが、カラオケ装置のリモコンとユーザ携帯端末の両方でユーザ識別情報を入力してシステムにログインする手続きを行わなければならず、ユーザＩＤやパスワード等のユーザ識別情報を２度入力する手間がかかる。
【０００６】
本発明は上記問題を解決するためになされたものである。その目的は、カラオケ装置に対する操作をユーザ携帯端末で行うことができるようにするためのログイン手続きにおいて、ユーザが行わなければならない操作を簡単にするための技術を提供することである。
【課題を解決するための手段】
【０００７】
上記課題を解決するためになされた請求項１に記載のカラオケシステムは、カラオケ装置と、カラオケ装置及びユーザ携帯端末と通信を行う管理サーバとを備える。これらのうち、管理サーバは、第１ログイン認証手段と、第２ログイン通知手段と、第２ログイン確立手段とを備える。また、カラオケ装置は、受付手段と、作成手段と、操作対象通知手段と、第２ログイン認証手段とを備える。また、ユーザ携帯端末は、第１ログイン要求手段と、記憶手段と、読取手段と、第２ログイン要求手段と、第２ログイン手段とを備える。
【０００８】
本発明のカラオケシステムでは、次のようにしてユーザ携帯端末からカラオケ装置を操作できるようにするためのログイン認証を実現する。
ユーザ携帯端末における第１ログイン要求手段は、入力されたユーザ識別情報に基づき、そのユーザ識別情報を伴う第１ログイン要求を管理サーバに送信し、送信した第１ログイン要求に対する認証成立結果を管理サーバから受信する。そして、その認証成立結果に係るユーザ識別情報を記憶手段に保存し、保存したユーザ識別情報に基づく第１ログインを確立する。
【０００９】
管理サーバにおいて、ユーザ携帯端末からユーザ識別情報を伴う第１ログイン要求を受信した場合、第１ログイン認証手段は、受信したユーザ識別情報に対する認証を行い、その認証が成立した場合の認証成立結果を要求元のユーザ携帯端末に送信して、受信したユーザ識別情報に基づく第１ログインを確立する。
【００１０】
カラオケ装置における受付手段は、カラオケ装置に対する操作の入力をユーザ携帯端末で行うための第２ログインを確立するための申請を受付ける。受付手段によって第２ログインを確立するための申請を受付けた場合、作成手段は、第２ログインの認証に用いる固有の操作認証情報を作成する。カラオケ装置における操作対象通知手段は、作成手段によって作成された操作認証情報と、自カラオケ装置を識別するカラオケ装置識別情報とを含む操作対象情報を、所定の情報提示手段に提示させる。
【００１１】
ユーザ携帯端末における読取手段は、情報提示手段に提示された操作対象情報を読取る。第２ログイン要求手段は、読取手段により読取られた操作対象情報に含まれる操作認証情報及びカラオケ装置識別情報と、記憶手段に記憶されているユーザ識別情報とを伴う第２ログイン要求を管理サーバに送信する。
【００１２】
管理サーバにおいて、ユーザ携帯端末から操作認証情報とカラオケ装置識別情報とユーザ識別情報とを伴う第２ログイン要求を受信した場合、第２ログイン通知手段は、カラオケ装置識別情報に基づいて操作対象のカラオケ装置を特定する。そして、その操作対象のカラオケ装置に対して、操作認証情報とユーザ識別情報とを伴う第２ログイン通知を送信する。
【００１３】
カラオケ装置において、管理サーバから操作認証情報とユーザ識別情報とを伴う第２ログイン通知を受信した場合、第２ログイン認証手段は、作成手段によって作成された操作認証情報と、受信した第２ログイン通知に含まれる操作認証情報とが一致することを条件に、操作認証情報とユーザ識別情報とを対応付けて保存する。それと共に、第２ログインの認証が成立した旨の第２ログイン結果を管理サーバに送信して、保存した操作認証情報とユーザ識別情報とに基づく第２ログインを確立する。
【００１４】
管理サーバにおいて、カラオケ装置から第２ログイン結果を受信した場合、第２ログイン確立手段は、第２ログイン要求の送信元であるユーザ携帯端末にその第２ログイン結果を送信して、第２ログインを確立する。
【００１５】
ユーザ携帯端末において、管理サーバから第２ログイン結果を受信した場合、第２ログイン手段は、記憶手段に記憶されているユーザ識別情報と、読取手段により読取られた操作対象情報とに基づく第２ログインを確立する。
【００１６】
本発明によれば、ユーザ携帯端末によってカラオケ装置を操作するための第２ログインを成立させるために、ユーザがユーザ識別情報を入力する必要があるのは、ユーザ携帯端末から第１ログインを成立させるときの１回のみである。これにより、カラオケ装置側にユーザ識別情報を入力することなく、ユーザ携帯端末によってカラオケ装置を操作するためのログインをすることができるため、ユーザの手間を減らすことができる。
【００１７】
ただし、カラオケ装置へのユーザ識別情報の入力を省いたことで、ユーザ携帯端末からどのような場所からでも、無制限にカラオケ装置を操作するための第２ログインが成立できてしまってはならない。それは、カラオケ装置が不正に操作されるおそれがあるからである。そこで、本発明では、カラオケ装置が発行した操作認証情報をユーザ携帯端末に読取らせ、その読取らせた操作認証情報をユーザ携帯端末から管理サーバに送信させて、送信された操作認証情報に基づいてカラオケ装置が第２ログインの認証を行う手順を採用した。これにより、ユーザ携帯端末からカラオケ装置を操作するための第２ログインをするには、ユーザがカラオケ装置のある場所にユーザ携帯端末を持ち込んでいることが必要になるため、不適切な場所からのログインを制限できる。
【００１８】
請求項２に記載のカラオケシステムは、次の特徴を有する。すなわち、カラオケ装置における第２ログイン認証手段は、作成手段によって作成された操作認証情報と、管理サーバから受信した第２ログイン通知に含まれる操作認証情報とが一致する場合、さらに、受信した第２ログイン通知に含まれるユーザ識別情報を伴うユーザ認証要求を管理サーバに送信する。そして、送信したユーザ認証要求に対する認証成立結果を管理サーバから受信したことを条件に、操作認証情報とユーザ識別情報とを対応付けて保存し、第２ログインの認証が成立した旨の第２ログイン結果を管理サーバに送信する。このようにして、保存した操作認証情報とユーザ識別情報とに基づく第２ログインを確立する。
【００１９】
一方、管理サーバは、カラオケ装置から受信したユーザ認証要求におけるユーザ識別情報に対する認証を行い、その認証が成立した場合の認証成立結果を要求元のカラオケ装置に送信するユーザ認証手段を備える。
【００２０】
このような構成によれば、ユーザ携帯端末から送信されてきた操作認証情報に対する第２ログインの認証をカラオケ装置が行う過程で、さらに、そのユーザ携帯端末に係るユーザ識別情報に対する認証を管理サーバに依頼して行うことができる。これにより、ユーザ携帯端末に対する認証におけるセキュリティを向上できる。
【００２１】
また、本発明は、請求項３に記載のように、カラオケシステムにおけるログイン方法として実現することもできる。このようなログイン方法によれば、請求項１について記載した上述の効果と同様の効果が得られる。
【図面の簡単な説明】
【００２２】
【図１】カラオケシステムの構成を表すブロック図。
【図２】カラオケシステムによるログイン処理の手順を表すシーケンス図。
【発明を実施するための形態】
【００２３】
以下、本発明の実施形態を図面に基づいて説明する。なお、本発明は下記の実施形態に限定されるものではなく様々な態様にて実施することが可能である。
［カラオケシステムの構成の説明］
図１に示すように、実施形態のカラオケシステム１は、カラオケ店舗に設置されるカラオケ装置２と、ユーザが所有するユーザ携帯端末４と、これらのカラオケ装置２及びユーザ携帯端末４との間でネットワーク１００（例えば、インターネット）を介して通信可能な管理サーバ３とを有する。なお、図１では、カラオケ装置２を１つだけ記載しているが、これより多くのカラオケ装置２がネットワーク１００に接続されていてもよい。
【００２４】
カラオケ装置２は、制御部２１、通信インタフェース部２２、記憶部２３、操作部２４、音声入出力部２５等を備える。このカラオケ装置２は、ユーザからリクエストされたカラオケ楽曲を演奏する機能を有する。制御部２１は、ＣＰＵ、ＲＡＭ、ＲＯＭ等を備え、所定のプログラムに従って動作することにより、カラオケ装置２を総合的に制御する。通信インタフェース部２２は、カラオケ装置２をカラオケ店舗内に設けられた店舗内ＬＡＮ２００に接続して、店舗内ＬＡＮ２００及びネットワーク１００を介した通信を制御する通信装置である。なお、ネットワーク１００と店舗内ＬＡＮ２００とは、図示しないルータで接続されている。カラオケ装置２は、店舗内ＬＡＮ２００及びネットワーク１００を介して、管理サーバ３やカラオケ装置２に対応付けられたリモコン端末２９と通信する。
【００２５】
記憶部２３は、例えばハードディスクドライブ等の記憶装置である。記憶部２３には、カラオケ楽曲を演奏するための楽曲データを多数収録したカラオケデータベースや、カラオケ装置２の動作を制御するためのプログラム等が記憶される。操作部２４は、ユーザからの操作を入力するための入力装置であり、カラオケ装置２本体に備えられたタッチパネルやキー・スイッチ等からなる。音声入出力部２５は、マイク２７からの音声の入力と、スピーカ２８からの音声の出力を制御する。
【００２６】
リモコン端末２９は、カラオケ装置２専用の遠隔操作機器であり、情報を表示するためのディスプレイ（図示せず）や、ユーザの入力操作を受付けるタッチパネルやキー・スイッチ等の操作部（図示せず）、無線ＬＡＮ通信部（図示せず）、必要であれば、情報を音声出力する音声出力部（図示せず）等を備える。このリモコン端末２９を用いることで、ユーザはカラオケサービスに関する情報の閲覧や、カラオケ装置２に演奏させるカラオケ楽曲の選曲操作を行うことができるようになっている。
【００２７】
このリモコン端末２９は、周知の無線ＬＡＮ通信規格に則った無線通信機能を有し、店舗内ＬＡＮ２００に設けられた無線ＬＡＮアクセスポイント３００を経由して、カラオケ装置２や管理サーバ３との間で通信を行う。なお、カラオケ装置２をリモコン端末２９で操作する前提として、操作対象のカラオケ装置２とリモコン端末２９とを特定の通信相手として対応付ける、いわゆる「括付け」がなされているものとする。括付けは、操作対象となるカラオケ装置２とリモコン端末２９との間で、各自の識別情報（例えば、ＩＰアドレスやシリアル番号）を互いに通知し、特定の通信相手として登録することで成立する。
【００２８】
管理サーバ３は、管理サーバ３を総合的に制御する制御部３１、管理サーバ３をネットワーク１００に接続するための通信インタフェース部３２、各種情報を記憶するための記憶部３３等を備える周知のサーバ装置である。この管理サーバ３は、カラオケシステム１にログインしようとするユーザに対する認証を行う機能を有する。
【００２９】
管理サーバ３の記憶部３３には、本カラオケシステム１を利用するためのアカウントを有するユーザに関するユーザ情報が記憶されている。このユーザ情報には、ユーザを識別する情報であるユーザＩＤと、このユーザＩＤに対応付けられたログイン用のパスワードとが含まれる。また、記憶部３３には、カラオケシステム１にあるカラオケ装置２を特定するための識別情報（例えば、カラオケ装置２のＩＰアドレスやシリアル番号）が記憶されている。
【００３０】
ユーザ携帯端末４は、カラオケシステム１を利用するユーザが所有する携帯情報機器であり、データ通信機能、画像認識機能、音声認識機能等を備える高機能携帯電話（いわゆるスマートフォン）やタブレットコンピュータ等からなる。ユーザ携帯端末４は、制御部４１、無線通信部４２、記憶部４３、カメラ４４、マイク４５、表示部４６、操作部４７等を備える。
【００３１】
制御部４１は、ＣＰＵ、ＲＡＭ、ＲＯＭ等を備え、所定のプログラムに従って動作することにより、ユーザ携帯端末４を総合的に制御する。無線通信部４２は、携帯電話網における所定の無線通信規格に基づく無線通信を制御する通信インタフェースであり、ユーザ携帯端末４を携帯電話網の中継装置４００経由でネットワーク１００に接続する。記憶部４３は、ユーザ携帯端末４の動作を制御するためのプログラム等を記憶する記憶装置である。
【００３２】
カメラ４４は、レンズ及び撮像素子等を備えたデジタルカメラである。マイク４５は、音声を電気信号として入力する機器である。本実施形態では、カメラ４４やマイク４５は、リモコン端末２９に表示される操作対象情報（詳細は後述する）を読取る際に用いられる。表示部４６は、液晶ディスプレイ等からなる表示装置である。操作部４７は、表示部４６の表示面に設けられるタッチパネルや、複数のキー・スイッチ等からなる入力装置である。
【００３３】
ユーザ携帯端末４には、カラオケシステム１にログインをして、カラオケシステム１において提供される各種サービスを利用できるようする機能を備えた専用アプリケーションプログラム（以下、「専用アプリ」と称する）が実装されているものとする。この専用アプリは、例えば、インターネット上の所定のＷｅｂサイトからダウンロードすることで、ユーザ携帯端末４にインストールされる。ユーザの操作により専用アプリが起動されると、ユーザ携帯端末４が管理サーバ３にアクセスして、カラオケシステム１にログインするための手続きを行うことができるようになっている。
【００３４】
［ログイン処理の説明］
本実施形態のカラオケシステム１では、カラオケサービスの会員であるユーザがユーザ携帯端末４を用いてログインすることで、会員向けに設けられたＷｅｂページの閲覧や、カラオケの歌唱履歴の管理といった、様々な会員向けのサービスをユーザ携帯端末４において利用できる。さらに、カラオケ店舗でカラオケ装置２を利用する際に、後述のリモートログインの手続きを行うことで、カラオケ装置２に対する選曲等の操作をユーザ携帯端末４を用いて行うことができるようになる。なお、ここでいうリモートログインとは、特許請求の範囲における第２ログインに相当するものである。以下、このリモートログインの手続きに関する一連の処理の手順について、図２のシーケンス図を参照しながら説明する。これらの一連の処理は、カラオケ装置２の制御部２１、管理サーバ３の制御部３１、及びユーザ携帯端末４の制御部４１の各手段によって実行される。
【００３５】
リモートログインを行う前提として、ユーザ携帯端末４と管理サーバ３との間で事前認証処理が行われる。この事前認証は、特許請求の範囲における第１ログインに相当するものである。まず、ユーザ携帯端末４においてユーザの操作により専用アプリが起動されることにより、ログイン処理が行われる（Ｓ１０）。ここでは、ユーザ携帯端末４が、ユーザからカラオケシステム１にログインするためのユーザＩＤとパスワードの入力を受付ける。ユーザが操作部４７を用いてユーザＩＤ及びパスワードを入力すると、ユーザ携帯端末４は、入力されたユーザＩＤ及びパスワードを管理サーバ３に送信することにより、ログイン要求を行う（Ｓ１２）。
【００３６】
このログイン要求を受付けた管理サーバ３は、受信したユーザＩＤ及びパスワードを、予め登録されてあるユーザ情報と照合することにより認証する（Ｓ１４）。認証が成立した場合、管理サーバ３は、ログインが成立した旨の通知をログイン要求元のユーザ携帯端末４に送信する（Ｓ１６）。管理サーバ３からログイン成立の通知を受信したユーザ携帯端末４は、この認証されたユーザＩＤ及びパスワードを記憶部４３に記憶する（Ｓ１８）。この一連の事前認証処理により、ユーザ携帯端末４と管理サーバ３との間でユーザＩＤ及びパスワードに基づくログインが確立する。このログインが確立することで、ログインしたユーザに対応するサービスの一部（例えば、ユーザの歌唱履歴の閲覧等）をユーザ携帯端末４において利用できるようになる。
【００３７】
この後、カラオケ装置２の利用を開始したユーザが、このカラオケ装置２に括付けされたリモコン端末２９に対して、リモートログインの手続きを開始する所定の操作を入力することで、カラオケ装置２に対してリモートログインの申請が行われる（Ｓ２０）。このとき、リモコン端末２９は、括付け相手のカラオケ装置２に対してリモートログインを申請する通知を送信する（Ｓ２２）。
【００３８】
リモコン端末２９からリモートログインを申請する通知を受付けたカラオケ装置２は、リモートログインの認証に用いるための認証情報を作成する（Ｓ２４）。この認証情報には、操作認証ＩＤ、ユーザＩＤ、及び有効期限の情報が含まれている。操作認証ＩＤは、認証情報を作成する時点で制御部２１が生成するユニークな識別情報である。ユーザＩＤの情報項目には、カラオケ装置２との間でリモートログインが成立したユーザ携帯端末４において事前認証処理により記憶されているユーザＩＤが記述される。ただし、Ｓ２４において認証情報が作成された時点では、ユーザＩＤは空欄となっている。有効期限は、認証情報を作成する時点で設定される、操作認証ＩＤを有効にする期間を定義する情報である。
【００３９】
カラオケ装置２は、作成した認証情報における操作認証ＩＤを、括付け相手のリモコン端末２９に送信する（Ｓ２６）。操作認証ＩＤを受信したリモコン端末２９は、その操作認証ＩＤと、括付け相手のカラオケ装置２の識別情報（例えば、ＩＰアドレスやシリアル番号等）を表すカラオケ装置情報とを含む操作対象情報を、ユーザ携帯端末４によって読取り可能な所定の態様で提示する（Ｓ２８）。具体的には、操作対象情報を表す文字列を２次元バーコードや電子透かし等の画像に変換したものを、ディスプレイに表示する。あるいは、操作対象情報を表す文字列をそのままディスプレイに表示して、ユーザ携帯端末４が備える光学文字認識（ＯＣＲ:Optical Character Recognition）機能等によって読取らせるようにしてもよい。あるいは、操作対象情報を表す文字列を音声透かしに変換した音声を出力してもよい。
【００４０】
このとき、ユーザは、ユーザ携帯端末４を操作してリモコン端末２９のディスプレイに提示された操作対象情報を読取らせる（Ｓ３０、図２のＳ３０からＳ２８への破線参照）。リモコン端末２９のディスプレイに画像情報として表示された操作対象情報の読取りには、カメラ４４による撮像機能を用いる。あるいは、音声情報として出力された操作対象情報の読取りにはマイク４５による音声入力機能を用いる。ユーザ携帯端末４は、読取った操作対象情報の内容を判読し、判読した操作対象情報内容に基づいて、管理サーバ３に対してリモートログイン要求を行う（Ｓ３２）。このとき、リモコン端末２９は、管理サーバ３に対してリモートログイン情報を送信する（Ｓ３２）。このリモートログイン情報には、事前認証処理のＳ１８において記憶したユーザＩＤ及びパスワードと、リモコン端末２９から読取った操作対処情報に含まれる操作認証ＩＤ及びカラオケ装置情報とが含まれる。
【００４１】
ユーザ携帯端末４からリモートログイン情報を受信した管理サーバ３は、受信したリモートログイン情報に含まれるカラオケ装置情報に基づき、ユーザ携帯端末４の操作対象となるカラオケ装置２を特定する（Ｓ３６）。そして、管理サーバ３は、特定した操作対象のカラオケ装置２に対して、リモートログイン要求を行う（Ｓ３８）。このとき、管理サーバ３は、操作対象のカラオケ装置２に対して認証要求情報を送信する（Ｓ４０）。この認証要求情報には、ユーザ携帯端末４から受信したリモートログイン情報に含まれるユーザＩＤと、パスワードと、操作認証ＩＤとが含まれる。
【００４２】
管理サーバ３から認証要求情報を受信したカラオケ装置２は、受信した認証要求情報に含まれる操作認証ＩＤと、Ｓ２４で作成した認証情報に含まれる操作認証ＩＤとに基づいて認証を行う（Ｓ４２）。ここでは、管理サーバ３から受信した操作認証ＩＤと、カラオケ装置２が記憶している操作認証ＩＤとが一致し、かつ、認証情報において定義されている有効期限内であることを条件に、認証が成立したと判断する。
【００４３】
リモートログイン要求に対する認証が成立した場合、カラオケ装置２は、リモートログインを確立する処理を行う（Ｓ４４）。このとき、カラオケ装置２は、管理サーバ３から受信した認証要求情報に含まれるユーザＩＤ及びパスワードを管理サーバ３に送信する（Ｓ４６）。
【００４４】
カラオケ装置２からユーザＩＤ及びパスワードを受信した管理サーバ３は、受信したユーザＩＤ及びパスワードに基づくユーザ認証を行う（Ｓ４８）。ここでは、管理サーバ３は、カラオケ装置２から受信したユーザＩＤ及びパスワードが、上述の事前認証処理において認証が成立しているユーザＩＤ及びパスワードと一致することを条件に、ユーザ認証が成立したと判断する。ユーザ認証が成立した場合、管理サーバ３は、認証要求元のカラオケ装置２に対して認証成立結果を通知する（Ｓ５０）。
【００４５】
管理サーバ３から認証成立結果を受信したカラオケ装置２は、Ｓ２４で作成した認証情報におけるユーザＩＤの空欄に、リモートログイン要求に対応するユーザＩＤを記録することで、操作認証ＩＤとユーザＩＤとを紐付けする（Ｓ５２）。そして、カラオケ装置２は、操作認証ＩＤと紐付けされたユーザＩＤを伴うログイン完了通知を、リモコン端末２９に送信する（Ｓ５４）。カラオケ装置２からログイン完了通知を受信したリモコン端末２９は、そのログイン完了通知に含まれるユーザＩＤをリモートログインが成立したユーザＩＤとして記憶する。
【００４６】
また、カラオケ装置２は、管理サーバ３に対してリモートログインが成立した旨の通知を送信する（Ｓ５６）。カラオケ装置２からリモートログインが成立した旨の通知を受信した管理サーバ３は、リモートログイン要求元のユーザ携帯端末４に対して、リモートログイン成立の結果を通知する（Ｓ５８）。管理サーバ３からリモートログイン成立の結果を受付けたユーザ携帯端末４は、カラオケ装置２とユーザ携帯端末４との間で、ユーザＩＤ及び操作認証ＩＤに基づくリモートログインを確立する（Ｓ６０）。これにより、ユーザ携帯端末４からカラオケ装置２に対する操作が可能な状態になる。
【００４７】
一方、Ｓ４２において、管理サーバ３から受信した認証要求情報の操作認証ＩＤに対する認証が不成立であった場合、カラオケ装置２は、管理サーバ３に対してリモートログインが不成立である旨の通知を送信する（Ｓ６２）。カラオケ装置２からリモートログインが不成立である旨の通知を受信した管理サーバ３は、リモートログイン要求元のユーザ携帯端末４に対して、リモートログイン不成立の結果を通知する（Ｓ５８）。この場合、ユーザ携帯端末４からカラオケ装置２に対する操作ができる状態にはならない。
【００４８】
［リモートログイン成立後の動作の概要］
リモートログインが確立している状況下において、ユーザ携帯端末４は、ユーザにより入力された操作内容（例えば、選曲や演奏操作等）を表す操作情報を、ユーザ携帯端末４が記憶しているユーザＩＤ及び操作認証ＩＤと対応付けて管理サーバ３に送信する。これに対して管理サーバ３は、ユーザ携帯端末４から受信した操作情報を、ユーザＩＤ及び操作認証ＩＤと共に、操作対象のカラオケ装置２に対して送信する。
【００４９】
管理サーバ３からユーザＩＤ及び操作認証ＩＤを伴う操作情報等を受信したカラオケ装置２は、受信したユーザＩＤ及び操作認証ＩＤを、カラオケ装置２が記憶している操作認証ＩＤ、ユーザＩＤに照し合せて両者の一致を確認する。そして、両者のユーザＩＤ及び操作認証が一致することを条件に、カラオケ装置２は、受信した操作情報で示される機能を実行する。
【００５０】
［効果］
実施形態のカラオケシステム１によれば、次のような効果を奏する。
ユーザ携帯端末４からカラオケ装置２を操作可能するためのリモートログインの手続きにおいて、ユーザがユーザＩＤ及びパスワードを入力する必要があるのは、事前認証処理における１回のみである。これにより、ユーザがカラオケ装置２を利用しているときに、カラオケ装置２やリモコン端末２９にユーザＩＤやパスワードを入力することなく、リモートログインをすることができるため、ユーザの手間を減らすことができる。
【００５１】
リモートログインの手続きにおいて、カラオケ装置２が発行した操作対象情報をリモコン端末２９に提示させ、これをユーザ携帯端末４に読取らせる手順を採用した。これにより、リモートログインを行うときには、ユーザがカラオケ装置２のある場所にユーザ携帯端末４を持ち込んでいることが必要になるため、不適切な場所からのリモートログインを制限できる。また、ユーザ携帯端末４が備える画像認識機能や音声認識機能を利用してリモコン端末２９から操作対象情報を読取るため、ユーザが文字や数値を操作部から直接手で入力するよりも簡単である。
【００５２】
［特許請求の範囲に記載の構成との対応関係］
カラオケシステム１の構成と、特許請求の範囲に記載の構成との対応関係は次のとおりである。図２のＳ１０，Ｓ１２，Ｓ１８が、第１ログイン要求手段に相当する。ユーザ携帯端末４の記憶部４３が、記憶手段に相当する。図２のＳ１４，Ｓ１６が、第１ログイン認証手段に相当する。
【００５３】
図２のＳ２０，Ｓ２２が、受付手段に相当する。図２のＳ２４が、作成手段に相当する。図２のＳ２６，Ｓ２８が、操作対象通知手段に相当する。図２のＳ３０が、読取手段に相当する。図２のＳ３２，Ｓ３４が、第２ログイン要求手段に相当する。
【００５４】
図２のＳ３６，Ｓ３８，Ｓ４０が、第２ログイン通知手段に相当する。図２のＳ４２，Ｓ４４，Ｓ４６，Ｓ５２，Ｓ５６が、第２ログイン認証手段に相当する。図２のＳ５８が、第２ログイン確立手段に相当する。図２のＳ６０が、第２ログイン手段に相当する。図２のＳ４８，Ｓ５０が、ユーザ認証手段に相当する。
【００５５】
［変形例］
上述の実施形態では、カラオケ装置２に括付けられたリモコン端末２９において、ユーザからリモートログインの申請を受付けたり（図２のＳ２０参照）、操作対象情報を提示する（図２のＳ２８参照）について説明した。これに限らず、図２のＳ２０及びＳ２８に相当する処理を、カラオケ装置２本体において行う構成であってもよい。すなわち、Ｓ２０において、リモートログインの申請をカラオケ装置２の操作部２４を介して受付けてもよい。また、Ｓ２８において、操作対象情報の提示をカラオケ装置２に接続されたディスプレイ２６やスピーカ２８を用いて行ってもよい。
【符号の説明】
【００５６】
１…カラオケシステム、２…カラオケ装置、２１…制御部、２２…通信インタフェース部、２３…記憶部、２４…操作部、２５…音声入出力部、２６…ディスプレイ、２７…マイク、２８…スピーカ、２９…リモコン端末、３…管理サーバ、３１…制御部、３２…通信インタフェース部、３３…記憶部、４…ユーザ携帯端末、４１…制御部、４２…無線通信部、４３…記憶部、４４…カメラ、４５…マイク、４６…表示部、４７…操作部、１００…ネットワーク、２００…店舗内ＬＡＮ、３００…無線ＬＡＮアクセスポイント、４００…中継装置。
【図１】
2015135415.tif 000003
【図２】
2015135415.tif 000004